(57)【要約】【課題】作業性良く、簡易に取り外すことができるシール材の取外し方法を提供する。【解決手段】シール材の取外し方法は、目地部１８からシール材２０を取り外すシール材の取外し方法であって、目地部１８におけるシール材２０と外壁パネル１０との界面に沿って刃で切込みを入れて、予めシール材２０と外壁パネル１０とを分離することなく、且つ、外壁パネル１０におけるシール材２０と外壁パネル１０との界面近傍を刃で切削して、シール材２０及び外壁パネル１０におけるシール材２０と外壁パネル１０との界面近傍の部分と外壁パネル１０の他の部分とを予め分離することなく、シール材２０に弾性が残存した状態で、シール材２０を連続的に引き抜いて、シール材２０を外壁パネル１０から分離させること及びシール材２０を目地部１８から取り外すことを同時に行うことを特徴とする。【選択図】図３
2020165248.tif 000002
【特許請求の範囲】
【請求項１】
隣接配置された複数の外壁パネルと、隣接する前記外壁パネルの間に形成された目地部に設けられたシール材と、を有する外壁において、前記目地部から前記シール材を取り外すシール材の取外し方法であって、
前記目地部における前記シール材と前記外壁パネルとの界面に沿って刃で切込みを入れて、予め前記シール材と前記外壁パネルとを分離することなく、且つ、
前記外壁パネルにおける前記シール材と前記外壁パネルとの前記界面近傍を刃で切削して、前記シール材及び前記外壁パネルにおける前記シール材と前記外壁パネルとの前記界面近傍の部分と前記外壁パネルの他の部分とを予め分離することなく、
前記シール材に弾性が残存した状態で、前記シール材を連続的に引き抜いて、前記シール材を前記外壁パネルから分離させること及び前記シール材を前記目地部から取り外すことを同時に行うことを特徴とするシール材の取外し方法。
【請求項２】
側面視で、前記シール材を引き抜く引き抜き方向と、残存する前記シール材の延在方向とのなす角は鈍角であることを特徴とする請求項１に記載のシール材の取外し方法。
【請求項３】
前記シール材を引き抜く際に、角度変換具を使用し、
該角度変換具は、
前記外壁パネルにおける前記シール材の延在方向の一方側に取り付けられた支持体と、
該支持体に設けられ、前記シール材を掛けることができる方向変換部と、を有することを特徴とする請求項１または２に記載のシール材の取外し方法。
【請求項４】
前記外壁の表面において、前記外壁パネルと前記シール材との境界部または該境界部近傍に、予め刃で切込みを入れておくことを特徴とする請求項１から３のいずれか一項に記載のシール材の取外し方法。
【請求項５】
前記外壁の表面には、塗膜が形成され、
該塗膜の表面において、前記外壁パネルと前記シール材との境界部または該境界部近傍に、予め刃で切込みを入れておくことを特徴とする請求項１から３のいずれか一項に記載のシール材の取外し方法。
【請求項６】
予め前記刃で切込みを入れておく前記境界部近傍は、前記外壁を正面視して、前記境界部よりも前記外壁パネル側であることを特徴とする請求項４または５に記載のシール材の取外し方法。
【請求項７】
前記外壁パネルの基材は、軽量気泡コンクリートであることを特徴とする請求項１から６のいずれか一項に記載のシール材の取外し方法。
【発明の詳細な説明】
【技術分野】
【０００１】
本発明は、シール材の取外し方法に関するものである。
【背景技術】
【０００２】
従来から、複数の外壁パネルを連設することによって外壁が構成されている建築物では、隣接する外壁パネルの間に形成された目地部にシール材が設けられている。経年劣化等の理由から、シール材を交換することがある。
【０００３】
例えば、特許文献１では、シール材が設けられた目地部の隅に、予め糸を埋設しておいて、シール材を取り外す際には、糸を外部に引き出すことにより、シール材と外壁との間を縁切りしてから、シール材を取り外す方法が提案されている。
【０００４】
他にも、隣接する外壁パネルの間に形成された目地部におけるシール材と外壁パネルとの界面に沿ってカッターナイフ等でシール材の表面から最奥部にかけて切込みを入れてシール材と外壁パネルとを完全に分離してから、シール材を取り外す方法もある。また、外壁パネルがＡＬＣ（軽量気泡コンクリート）等の比較的加工が容易な材質である場合、外壁パネルにおける目地部近傍の部分をカッターナイフ等で切削してから、シール材を近傍の外壁パネルとともに取り外す方法もある。また、目地部におけるシール材と外壁パネルとの界面に沿って切込みを入れたり、外壁パネルを切削したりする際に、電動工具を使用することもある。
【先行技術文献】
【特許文献】
【０００５】
【特許文献１】特開平１１−２５６７０８号公報
【発明の概要】
【発明が解決しようとする課題】
【０００６】
しかしながら、上記の特許文献１の方法では、予め糸を埋設していないシール材には、適用できない。
【０００７】
また、外壁パネル間に形成された目地部におけるシール材と外壁パネルとの界面に沿って切込みを入れる方法では、シール材の表面から最奥部までカッターナイフを入れるには大きな力を要する、残存するシール材の取外しの為に切込み作業を繰り返さなければならない、カッターナイフの刃が折れてしまい刃を頻繁に交換しなければならない、といった問題点がある。
【０００８】
また、電動工具を使用すると、切込み作業はしやすいものの、振動や騒音が発生し、近隣に迷惑をかけてしまうという問題点がある。
【０００９】
また、外壁パネルにおける目地部近傍の部分を切削する方法では、切削粉が発生する。切削粉が目地部に残ったまま、新たなシール材を充填すると、接着不良の原因になってしまう。特に、外壁パネルの基材がＡＬＣ（軽量気泡コンクリート）の場合、切削粉が細孔に入り込んでしまう。このため、切削粉を除去する必要があり、手間がかかるという問題点がある。
【００１０】
本発明は、上記事情に鑑みてなされたものであり、作業性良く且つ簡易に取り外すことができるシール材の取外し方法を提供するものである。
【課題を解決するための手段】
【００１１】
上記目的を達成するために、本発明は以下の手段を採用している。
すなわち、本発明に係るシール材の取外し方法は、隣接配置された複数の外壁パネルと、隣接する前記外壁パネルの間に形成された目地部に設けられたシール材と、を有する外壁において、前記目地部から前記シール材を取り外すシール材の取外し方法であって、
前記目地部における前記シール材と前記外壁パネルとの界面に沿って刃で切込みを入れて、予め前記シール材と前記外壁パネルとを分離することなく、且つ、前記外壁パネルにおける前記シール材と前記外壁パネルとの前記界面近傍を刃で切削して、前記シール材及び前記外壁パネルにおける前記シール材と前記外壁パネルとの前記界面近傍の部分と前記外壁パネルの他の部分とを予め分離することなく、前記シール材に弾性が残存した状態で、前記シール材を連続的に引き抜いて、前記シール材を前記外壁パネルから分離させること及び前記シール材を前記目地部から取り外すことを同時に行うことを特徴とする。
【００１２】
目地部におけるシール材と外壁パネルとの界面に沿って切込みを入れて、シール材の最奥部まで刃を到達させるには大きな力を要したり、刃が折れてしまったりする等の問題点があるが、このように構成されたシール材の取外し方法では、目地部に沿って刃で切込みを入れないため、上記問題点が生じない。
また、外壁パネルにおける目地部近傍を刃で切削すると、切削粉が目地部に残ってしまうため、切削粉を除去する作業が生じるが、上記した方法では、外壁パネルにおける目地部近傍を刃で切削しないため、そのような作業が生じない。
また、シール材を連続的に引き抜けば、シール材を外壁パネルから分離させること及びシール材を目地部から取り外すことを同時に行われるため、シール材を作業性良く且つ簡易に取り外すことができる。シール材は弾性率の高い建築材料であるため、引張方向やせん断方向に沿って取り外すよりも、剥離方向に沿って取り外す方が、接着強度が低いため、容易に取り外すことができる。
【００１３】
また、本発明に係るシール材の取外し方法は、側面視で、前記シール材を引き抜く引き抜き方向と、残存する前記シール材の延在方向とのなす角は鈍角であることが好ましい。
【００１４】
このように構成されたシール材の取外し方法では、側面視で、残存するシール材の延在方向に対して鈍角となる方向にシール材を引っ張ることにより、残存するシール材の臨界部分（残存するシール材におけるこれから引き抜かれようとする部分）では、シール材が伸長して、目地部から離れる方向（剥離方向）に力が作用するため、シール材をスムーズに取り外すことができる。
【００１５】
また、本発明に係るシール材の取外し方法は、前記シール材を引き抜く際に、角度変換具を使用し、該角度変換具は、前記外壁パネルにおける前記シール材の延在方向の一方側に取り付けられた支持体と、該支持体に設けられ、前記シール材を掛けることができる方向変換部と、を有していてもよい。
【００１６】
このように構成されたシール材の取外し方法では、作業者と引き抜き作業を行おうとするシール材との位置関係から、シール材を引き抜く引き抜き方向と残存するシール材の延在方向とのなす角度を鈍角に維持しにくい場合であっても、角度変換具を用いることにより鈍角を維持することができる。例えば、上下方向に延在するシール材の上側を、引き抜き方向が斜め上方となるように取り外す際に、外壁パネルにおける作業者よりも高い位置に支持体を取り付けて、方向変換部にすでに引き抜かれているシール材を掛け下方に垂らす。そして、作業者は地上面に立った状態で、シール材を下方に引っ張る。これにより、作業者は足場等を用いて高い位置に移動することなく鈍角を維持して引き抜き作業を行うことができ、シール材を容易に取り外すことができる。
【００１７】
また、本発明に係るシール材の取外し方法は、前記外壁の表面において、前記外壁パネルと前記シール材との境界部または該境界部近傍に、予め刃で切込みを入れておいてもよい。
【００１８】
このように構成されたシール材の取外し方法では、シール材が目地部への取付強度の低い部分に沿って不規則に剥ぎ取られることが抑制され、シール材の改修後も建築物の外壁の美観を維持することができる。
【００１９】
また、本発明に係るシール材の取外し方法は、前記外壁の表面には、塗膜が形成され、
該塗膜の表面において、前記外壁パネルと前記シール材との境界部または該境界部近傍に、予め刃で切込みを入れておいてもよい。
【００２０】
このように構成されたシール材の取外し方法では、シール材を引き抜く際に、シール材近傍の塗膜を不規則に剥ぎ取ってしまうことが抑制され、シール材の改修後も建築物の外壁の美観を維持することができる。
【００２１】
また、本発明に係るシール材の取外し方法は、予め前記刃で切込みを入れておく前記境界部近傍では、前記外壁を正面視して、前記境界部よりも前記外壁パネル側であってもよい。
【００２２】
このように構成されたシール材の取外し方法では、シール材を引き抜く際に、シール材が外壁パネル側に残ってしまうことを抑制することができる。
【００２３】
また、本発明に係るシール材の取外し方法は、前記外壁パネルの基材は、軽量気泡コンクリートであってもよい。
【００２４】
軽量気泡コンクリートでは、刃で比較的容易に切削することができるため、刃が蛇行して過大に切削してしまうことがある。このように構成されたシール材の取外し方法では、目地部に沿って刃で切込みを入れたり、外壁パネルにおける目地部近傍を刃で切削したりせずに、シール材を引き抜くため、当初の目地部の形状を維持することができる。
【発明の効果】
【００２５】
本発明に係るシール材の取外し方法によれば、シール材を作業性良く且つ簡易に取り外すことができる。
【図面の簡単な説明】
【００２６】
【図１】本発明の一実施形態に係るシール材の取外し方法の対象となるシール材が目地部に設けられた建築物の立面図である。
【図２】本発明の一実施形態に係るシール材の取外し方法の対象となるシール材が設けられた外壁の断面図である。
【図３】本発明の一実施形態に係るシール材の取外し方法を説明する図であり、シール材を上側から取り外す場合であり、（ａ）断面図であり、（ｂ）正面から見た図であり、（ｃ）（ｂ）のＡ部拡大図である。
【図４】本発明の一実施形態に係るシール材の取外し方法を説明する図であり、シール材を下側から取り外す場合の断面図である。
【図５】本発明の一実施形態に係るシール材の取外し方法を説明する図であり、工具を用いる場合であり、（ａ）断面図であり、（ｂ）正面から見た図である。
【発明を実施するための形態】
【００２７】
以下、本発明の一実施形態に係るシール材の取外し方法について、図面を参照して説明する。
図１は、本発明の一実施形態に係るシール材の取外し方法の対象となるシール材が目地部に設けられた建築物の立面図である。なお、図１では、所定の間隔で配置される複数のシール材のうち、一部のシール材のみ図示している（図示を省略しているシール材がある）。
まず、建築物の外壁の構成について説明する。
図１に示すように、建築物１００の外壁１は、隣接配置された複数の外壁パネル１０と、隣接する外壁パネル１０の間に設けられたシール材２０と、を有している。
【００２８】
各外壁パネル１０は、板状に形成されている。複数の外壁パネル１０は、板面が同一平面上に配置されるように、上下方向及び水平方向に配列されている。
本実施形態では、外壁パネル１０の基材として、ＡＬＣ（軽量気泡コンクリート）が採用されている。
【００２９】
図２は、シール材の取外し方法の対象となるシール材２０が設けられた外壁の水平断面図であり、上下方向に延在するシール材２０の延在方向に直交する方向に沿う断面図である。
図２に示すように、隣接する外壁パネル１０において、外壁パネル１０の側端部１０ｅどうしが突き合わさるように配置されている。
【００３０】
外壁パネル１０の側端部１０ｅには、切り欠き部１２が形成されている。切り欠き部１２は、外壁パネル１０の厚さ方向の中間部から表面１０ｆ側にかけて形成されている。換言すると、切り欠き部１２は、外壁パネル１０の側端部１０ｅ且つ表面１０ｆ側の角部に形成されている。
【００３１】
以下の説明において、外壁パネル１０の板厚方向を前後方向と称し、外壁パネル１０の長辺側の表面１０ｆ側を前側と称し、外壁パネル１０の裏面（表面１０ｆと反対側の面。不図示。以下同じ。）側を後側と称することがある。
【００３２】
切り欠き部１２は、前側部分１２ｆの方が、後側部分１２ｂよりも幅広に形成されている。
【００３３】
切り欠き部１２の前側部分１２ｆは、後側から前側に向かって漸次幅が広くなるように形成されている。切り欠き部１２の後側部分１２ｂは、前後方向全体にわたって同じ幅で形成されている。
【００３４】
切り欠き部１２は、傾斜面１３と、奥行面１４と、底面１５と、を有している。
【００３５】
傾斜面１３は、外壁パネル１０の表面１０ｆから後側に向かうにしたがって次第に外壁パネル１０の側端部１０ｅ側に向かうように傾斜している。
【００３６】
奥行面１４は、傾斜面１３の後端部から後側に延びている。底面１５は、奥行面１４の後端部から外壁パネル１０の側端部１０ｅまで延びている。
【００３７】
隣接する外壁パネル１０において、各切り欠き部１２どうしが対向配置されている。対向する切り欠き部１２の内部が目地部１８とされている。
【００３８】
図１に示すように、水平方向に隣接する外壁パネル１０の間には、上下方向に延びる目地部１８が形成されている。また、１階の外壁パネル１０と２階の外壁パネル１０との間には、上下方向の目地部１８とは異なる断面形状であり、水平方向に延びる目地部１８が形成されている。
【００３９】
以下では、上下方向に延びる目地部１８に設けられたシール材２０の取り外し方法について説明する。
各目地部１８には、シール材２０が設けられている。シール材２０は、目地部１８の略全長にわたって設けられている。本実施形態では、シール材２０として、湿式のものが採用されている。
【００４０】
図２に示すように、シール材２０の表面２０ｆは、外壁パネル１０の表面１０ｆよりも後側にセットバックして配置されている。シール材２０表面２０ｆは、幅方向の中央部の方が幅方向の端部側よりも窪んだ湾曲形状をなしている。なお、本実施形態では、シール材２０は目地部１８の底面１５まで達していて、シール材２０は目地部１８の三面（傾斜面１３、奥行面１４及び底面１５）に接着された状態であるが、例えば目地部１８の底面１５にバックアップ材が充填され、その上にシール材２０が設けられたもの（目地部１８の二面（傾斜面１３及び奥行面１４）に接着されたもの）であってもよい。
【００４１】
外壁１には、外壁パネル１０の表面１０ｆ及びシール材２０の表面２０ｆを覆うように、塗料が吹き付けられて塗膜３０が形成されている。
【００４２】
シール材２０は、経年により劣化（可塑剤が揮散し硬化）する。本実施形態に係るシール材の取外し方法は、劣化したシール材２０を取り外して新規のシール材を目地部１８に充填する際に行われるものである。
【００４３】
次に、シール材の取外し方法について説明する。
図３は、シール材２０を上側から取り外す場合のシール材の取外し方法を説明する図であり、（ａ）は断面図であり、（ｂ）は正面から見た図であり、（ｃ）は（ｂ）のＡ部拡大図である。
図３に示すように、上下方向に延びるシール材２０（以下、縦シール材２０Ａと称することがある）を、上側から下側に向かって取り外す場合（例えば、足場の上方の作業床に立つ作業者が１階部分のシール材２０を取り外す場合）には、作業者は、すでに目地部１８から引き抜かれているシール材２０の上部２０ｕを持って、シール材２０の目地部１８から離間させて、連続的に引き抜いていく。
【００４４】
この際に、図３（ａ）に示すように、側面視で、シール材２０を引き抜く引き抜き方向（矢印の方向）Ｘ１と、残存するシール材２０の延在方向Ｘ２とのなす角θ１が、鈍角であることが好ましい。
【００４５】
図３（ｂ）に示すように、シール材２０に弾性が残存した状態では、シール材２０は引っ張られて伸長して、シール材２０の断面積が小さくなっていく。図３（ｃ）に示すように、残存するシール材２０におけるこれから引き抜かれていく側の部分（臨界部分）２０ａには、矢印で示すように、目地部１８から離れる方向（剥離方向、矢印参照）に力が作用する。これにより、シール材２０が外壁パネル１０から分離すること及びシール材２０が目地部１８から取り外されることが、同時に行われる。
【００４６】
なお、シール材２０を取り外す際には、目地部１８に沿って、つまり、目地部１８の傾斜面１３や奥行面１４に沿って、刃で切込み２１を入れて、予めシール材２０と外壁パネル１０とを分離させない。
【００４７】
さらに、外壁パネル１０における目地部１８近傍を刃で切削（図２に示す二点鎖線Ｐ参照）して、シール材２０及び外壁パネル１０における目地部１８近傍の部分（図２のＰ１参照）と外壁パネル１０における他の部分（図２のＰ２参照）とを予め分離しない。
【００４８】
図２に示すように、外壁１の塗膜３０の表面３０ｆにおいて、外壁パネル１０とシール材２０との境界部Ｂに、予め切込み２１を入れておいてもよい。
【００４９】
外壁１の表面に塗膜３０が形成されていない場合にも、外壁１の表面において、外壁パネル１０とシール材２０との境界部Ｂに予め切込み２１を入れておいてもよい。
【００５０】
また、切込み２１を入れる位置は、境界部Ｂ近傍であってもよい。境界部Ｂ近傍に切込み２１を入れる場合には、外壁１を正面視して、境界部Ｂよりもシール材２０側（Ｙ１側）であるよりは、境界部Ｂよりも外壁パネル１０側（Ｙ２側）である方が好ましい。なお、切込み２１の深さや刃を入れる角度は特に限定はされず、目地部１８やシール材２０の断面形状や外壁パネル１０の基材の材質等に応じて、適宜変更してもよく、刃先が外壁パネル１０の基材の内部まで達してもよい。
【００５１】
図４は、シール材２０を下側から取り外す場合のシール材の取外し方法を説明する断面図である。
図４に示すように、縦シール材２０Ａを、下側から上側に向かって取り外す場合（例えば、地上面に立つ作業者が１階部分のシール材２０をその下端側から取り外す場合）には、作業者は、すでに目地部１８から引き抜かれているシール材２０の下端部２０ｄを持って、シール材２０の目地部１８から離間させて、連続的に引き抜いていく。
【００５２】
この場合も、上側から取り外す場合と同様に、側面視で、シール材２０を引き抜く引き抜き方向（矢印の方向）Ｘ３と、残存するシール材２０の延在方向Ｘ２とのなす角θ２が、鈍角であることが好ましい。同様にして、１階の外壁パネル１０と２階の外壁パネル１０との間の水平方向に延びる目地部１８において、水平方向に延びるシール材２０（以下、横シール材２０Ｂと称することがある。図１参照。）も取り外すことができる。
【００５３】
図５は、工具を用いてシール材の取外し方法を説明する図であり、（ａ）は断面図であり、（ｂ）は正面から見た図である。
図５に示すように、シール材２０を引き抜く際に、角度変換具５０を使用してもよい。
角度変換具５０は、支持体５１と、方向変換部５２と、把持部５３と、を有している。
【００５４】
支持体５１は、外壁パネル１０におけるシール材２０の延在方向の一方側、つまり残存するシール材２０と反対側に取り付けられている。支持体５１には、目地部１８の両側の外壁パネル１０に固定するためのピン５１ａが設けられている。
【００５５】
方向変換部５２は、支持体５１に設けられている。本実施形態では、方向変換部５２は、円柱状に形成されている。方向変換部５２の延在方向が、シール材２０の延在方向と直交し、且つ外壁パネル１０の表面１０ｆに沿う方向となるように、方向変換部５２は配置されている。
【００５６】
把持部５３は、支持体５１に設けられている。把持部５３は、把持可能な棒状部材である。角度変換具５０は把持部５３が残存するシール材２０の方向に延びるように配置される。
【００５７】
上記の角度変換具５０は、例えば、すでに上側が取り外されたシール材２０を地上面に立つ作業者が取り外す際に使用することができる。具体的には、作業者は目地部１８におけるすでにシール材２０が取り外された位置よりも若干高い位置に方向変換部５２を固定する。そして、すでに取り外した部分２０ｃを、方向変換部５２に掛ける。作業者は、シール材２０の部分２０ｃを把持して、シール材２０を下方に引っ張る。これにより、シール材２０を引き抜く引き抜き方向と、残存するシール材２０の延在方向とのなす角θ３を鈍角に保って、残存するシール材２０が連続的に引き抜かれていく（図５（ａ）に示す二点鎖線参照）。
【００５８】
次に、上記のシール材の取外し方法の作用・効果について説明する。
目地部１８におけるシール材２０と外壁パネル１０との界面に沿って切込み２１を入れて、シール材２０の最奥部まで刃を到達させるには大きな力を要したり、刃が折れてしまったりする等の問題点があるが、このように構成されたシール材の取外し方法では、目地部１８に沿って刃で切込み２１を入れないため、上記問題点が生じない。
【００５９】
また、外壁パネル１０における目地部１８近傍を刃で切削すると、切削粉が目地部１８に残ってしまうため、切削粉を除去する作業が生じるが、上記した方法では、外壁パネル１０における目地部１８近傍を刃で切削しないため、そのような作業が生じない。
【００６０】
また、シール材２０を連続的に引き抜けば、シール材２０を外壁パネル１０から分離させること及びシール材２０を目地部１８から取り外すことを同時に行われるため、シール材２０を作業性良く且つ簡易に取り外すことができる。シール材２０は弾性率の高い建築材料であるため、引張方向やせん断方向に沿って取り外すよりも、剥離方向に沿って取り外す方が、接着強度が低いため、容易に取り外すことができる。
【００６１】
また、外壁パネル１０の目地部１８近傍の部分に外壁パネル１０の劣化した部分（例えば、地震時のロッキングによってシール材２０に引っ張られ剥離した部分）が存在する場合は、シール材２０とともに、劣化部分を剥離させることができる。
【００６２】
また、側面視で、引き抜き方向Ｘ１，Ｘ３が残存するシール材２０の延在方向Ｘ２に対して鈍角となるように引っ張る。これにより、残存するシール材２０の臨界部分２０ａでは、シール材２０が伸長して、目地部１８から離れる方向（剥離方向）に力が作用するため、シール材２０をスムーズに取り外すことができる。
【００６３】
また、角度変換具５０を使用すれば、上下方向に延在するシール材２０を、引き抜き方向が斜め上方となるように取り外すことができるように、外壁パネル１０における作業者よりも高い位置に支持体５１を取り付けて、作業者は地上面に立った状態のまま、方向変換部５２に掛けられたシール材２０を下方に引っ張ればよい。よって、足場等を用いて高い位置に移動して作業する必要がなく、シール材２０を容易に取り外すことができる。つまり、作業者がその位置から単純にシール材２０を引っ張るだけでは、シール材２０を引き抜く引き抜き方向と残存するシール材２０の延在方向とのなす角（θ３）を鈍角に維持できない場所で作業する場合あっても、角度変換具５０を使用すれば、角θ３を鈍角に維持することができる。
【００６４】
また、外壁１の表面１０ｆにおいて、外壁パネル１０とシール材２０との境界部Ｂまたは境界部Ｂ近傍に、予め刃で切込み２１を入れておく。これにより、シール材２０が目地部１８への取付強度の低い部分に沿って不規則に剥ぎ取られることが抑制され、シール材２０の改修後も建築物１００の外壁１の美観を維持することができる。
【００６５】
また、塗膜３０の表面３０ｆにおいて、外壁パネル１０とシール材２０との境界部Ｂまたは境界部Ｂ近傍に、予め刃で切込み２１を入れておく。これにより、シール材２０を引き抜く際に、シール材２０近傍の塗膜３０を剥ぎ取ってしまうことが抑制され、シール材２０の改修後も建築物１００の外壁１の美観を維持することができる。
【００６６】
また、予め刃で切込み２１を入れておく境界部Ｂ近傍は、外壁１を正面視して、境界部Ｂよりも外壁パネル１０側である。よって、シール材２０を引き抜く際に、シール材２０が外壁パネル１０側に残ってしまうことを抑制することができる。
【００６７】
また、軽量気泡コンクリートでは、刃で比較的容易に切削することができるため、刃が蛇行して過大に切削してしまうことがある。このように構成されたシール材の取外し方法では、目地部１８に沿って刃で切込みを入れたり、外壁パネル１０における目地部１８近傍を刃で切削したりせずに、シール材２０を引き抜くため、当初の目地部１８の形状を維持することができる。
【００６８】
なお、上述した実施の形態において示した各構成部材の諸形状や組み合わせ等は一例であって、本発明の主旨から逸脱しない範囲において設計要求等に基づき種々変更可能である。
【００６９】
例えば、シール材２０と外壁パネル１０との接着強さは、シール材２０の引張強さ及び外壁パネル１０の基材の非劣化部分の引張強さよりも小さくてもよい。これにより、シール材２０が引き抜き作業の途中で切れること、シール材２０の一部が目地部１８に残存すること、及び外壁パネル１０の基材の非劣化部分が剥離することが防止される。
【００７０】
また、シール材２０はプレコート塗膜（下地塗装）の上に充填されており、シール材２０の引張強さ、シール材２０とプレコート塗膜との接着強さ、プレコート塗膜の引張強さ、外壁パネル１０の基材の非劣化部分の引張強さは、プレコート塗膜と外壁パネル１０との接着強さよりも大きくてもよい。これにより、シール材２０が引き抜き作業の途中で切れること、シール材２０やプレコート塗膜の一部が目地部１８に残存すること、及び外壁パネル１０の基材の非劣化部分が剥離することが防止される。
【００７１】
また、シール材２０を引き抜く際には、一方の手で、シール材２０における既に引き抜かれた部分を掴んで引っ張り、シール材２０における新たに引き抜かれた部分を他方の手で掴み替えて更に引っ張るようにしてもよい。この手順を繰り返して、シール材２０を途中で切断することなく連続的に引き抜いていってもよい。これにより、全て手作業で行われ電動工具等を使用しないため、騒音や振動が発生しない。また、電源が無い箇所でも作業が可能であり、作業中に電源コードに引っかかる危険や延長コードを取りまわす手間や、降雨による漏電や、機器の故障がない。
【００７２】
また、１，２階にわたって設けられたシール材２０を、以下のようにして取り外してもよい。１階の縦シール材２０Ａの下端部分を、地上面に立って斜め下方に引張り、１階の外壁１の上端位置（１階と２階との間の横シール材２０Ｂ）まで引き抜く（以下、作業１と称する）。（仮設足場の上方の作業床に昇り）縦シール材２０Ａと横シール材２０Ｂとの交差部分では、縦シール材２０Ａの連続性が保たれるように、横シール材２０Ｂを分離する（以下、作業２と称する）。既に引き抜かれた１階の縦シール材２０Ａを掴んで、２階の縦シール材２０Ａを引っ張り、１階から２階まで連続的に引き抜く。これにより、２階の縦シール材２０Ａの端部を引き出す手間を省くことができる。
【００７３】
また、上記の作業１を１階の外壁１の全ての縦シール材２０Ａについて行なった後に、上記の作業２を行ってもよい。これにより、作業者の上下移動を軽減することができる。
【符号の説明】
【００７４】
１…外壁
１０…外壁パネル
１２…切り欠き部
１８…目地部
２０…シール材
２１…切込み
５０…角度変換具
５１…支持体
５２…方向変換部
５３…把持部
Ｂ…境界部
１００…建築物
【図１】
2020165248.tif 000003
【図２】
2020165248.tif 000004
【図３】
2020165248.tif 000005
【図４】
2020165248.tif 000006
【図５】
2020165248.tif 000007